(57)【要約】      （修正有）【課題】ウェブの安全かつ破壊のない挿入を可能にする、ウェブ支持装置、及び軸からウェブを除去する装置及び方法を提供する。【解決手段】保持装置５、保持装置５の装填の場合に荷重によって引き起こされる力にほぼ反して向けられる第１スプリング力を発生させる、少なくとも１つの第１ばね要素１４、及び保持装置５の装填によって引き起こされる力の方向にほぼ作用する第２スプリング力を発生させる、少なくとも１つの第２ばね要素１６を有するウェブ支持装置。【選択図】図２
2004189483.tif 000002
【特許請求の範囲】
【請求項１】
保持装置（５）、前記保持装置（５）の装填の場合に荷重によって引き起こされる力にほぼ反して向けられる第１スプリング力を発生させる、少なくとも１つの第１ばね要素（１４）、及び前記保持装置（５）の装填によって引き起こされる力の方向にほぼ作用する第２スプリング力を発生させる少なくとも１つの第２ばね要素（１６）を有するウェブ支持装置。
【請求項２】
少なくとも１つの前記第２ばね要素（１６）の最大ばね行程は、少なくとも１つの前記第１ばね要素（１４）の最大ばね行程より小さい請求項１に記載の装置。
【請求項３】
少なくとも１つの前記第２ばね要素（１６）は、所定のばね行程後に完全に解放される請求項１又は２に記載の装置。
【請求項４】
少なくとも１つの前記第１ばね要素（１４）のばね伸長定数は、少なくとも１つの前記第２ばね要素（１６）のばね伸長定数より、大きい、等しい又は小さい請求項１から３のいずれかに記載の装置。
【請求項５】
少なくとも１つの前記第１ばね要素（１４）は、圧縮ばねであり、及び／又は少なくとも１つの前記第２ばね要素（１６）は、板ばね又は一組の板ばねである請求項１から４のいずれかに記載の装置。
【請求項６】
前記保持装置（５）が装填される時に、起動する、スイッチ（４）を有する請求項１から５のいずれかに記載の装置。
【請求項７】
前記保持装置（５）、及び前記保持装置が装填される時に、第１スプリング力が、所定のばね行程にわたって荷重に反対に作用し、かつ所定のばね行程後に、第２スプリング力が、荷重に反対に作用し、それにより第２スプリング力が、第１スプリング力よりも大きいように、ばね定数が、ばね行程にわたって変化する少なくとも１つの前記ばね要素を有するウェブ支持装置。
【請求項８】
前記ウェブ支持装置を動かし得るために、請求項１から７のいずれかに記載の装置、及び少なくとも１つの搬送要素を有する搬送装置。
【請求項９】
少なくとも１つの前記第１ばね要素（１４）は、スプリング力が前記保持装置（５）及び前記搬送要素の間に発生するように配置される請求項８に記載の搬送装置。
【請求項１０】
少なくとも１つの前記第２ばね要素（１６）は、スプリング力が搬送要素及び前記保持装置（５）に接続される前記ばね柱（１２）の間に発生するように配置される請求項８又は９に記載の搬送装置。
【請求項１１】
請求項１から１０のいずれかに記載の装置及びウェブ交換器（１）を有する、軸からウェブを除去する装置。
【請求項１２】
前記ウェブ（６）は、前記保持装置（５）上に置かれ、かつ少なくとも１つの前記第１ばね要素（１４）の力に反する所定のばね行程に沿って、かつ少なくとも１つの前記第２ばね要素（１６）の力で押圧し、かつ前記ウェブ（６）は、所定のばね行程後に、少なくとも１つの前記第１ばね要素（１４）の力に反して押圧するのみである、除去中での前記ウェブ（６）のばね装填方法。
【請求項１３】
スイッチ信号は、所定のばね行程後に発生する請求項１２に記載の方法。
【発明の詳細な説明】
【技術分野】
【０００１】
本発明は、例えば巻取り印刷機のウェブ交換器に使用され得るウェブ、例えばペーパーウェブの支持装置に関する。更に、本発明は、軸からかかるウェブを除去する装置及び方法に関する
【背景技術】
【０００２】
例えばウェブ交換器の支持アームから移動台にウェブを挿入する時、比較的高い力が生じ得るが、それはウェブ交換器又は移動台の部品の破壊を引き起こし得る。例として、図１は、支持ピン１ａ及び１ｂを介してペーパーウェブ６及び７を保持するウェブ交換器１を示す。ペーパーウェブを交換するために、例えば完全なペーパーウェブ６は、移動台３を介してウェブ交換器１に運ばれ、かつウェブ交換器１によって持ち上げられ、かつ支持ピン１ａによって回転し、それにより、交換すべき、かつ例えばほぼ完全に解かれたウェブ７は、移動台３に再度挿入される。移動台３の保持装置５上のこのペーパーウェブ６の挿入及び軸から［原文のまま、「ａｕｓｓａｃｈｓｅｎ」は「ａｕｓａｃｈｓｅｎ」の誤字である‐Ｔｒ．Ｅｄ．］の除去中の角度ｗが、比較的小さく、かつ例えば０〜１５度の範囲にあるならば、その場合、特に移動台３がばね荷重式でなく、かつ支持アーム２の駆動モータが大きなトルクにより旋回するならば、ウェブ交換１及び移動台の部品を破壊する力が生じ得る。
【０００３】
移動台を介してペーパーウェブを抜き取り得る、ウェブ交換器は、特許文献１から公知である。これには、ウェブ交換器内に、測定装置が必要とされるが、それにより流れ出るペーパーウェブのウェブ速度及びこのウェブが解かれるペーパーウェブの角速度は、測定され得、その結果ペーパーウェブの直径は、ウェブ速度及び角速度の商として決定され得、そこから移動台がペーパーウェブを持ち上げる角度及び距離が決定される。
【０００４】
特許文献２は、印刷物のウェブが挿入され得る、保持装置を有する巻取り印刷機内のウェブ交換器の支持アームから、印刷物のウェブを取り除く装置を記載しており、それにより保持装置上に、印刷物のウェブ及び保持装置の支持アームによって及ぼされる重量及び圧力を検出する圧力センサが設けられる。制御回路の計算機構は、圧力センサによって検出される実際の圧力値、及び予め計算又は決定された、交換する印刷物のウェブの残留ウェブ圧力値の間の差を決定する。所定の帯域幅内で保持装置に加えられる圧力が、挿入される印刷物のウェブの重量に相当するなら、支持アーム低下は、制御回路を介して停止され、その結果、印刷物のウェブの重量によって解放される支持アームのテンションスピンドルは、引き抜かれ得る。
【０００５】
しかしながら、例えばウェブ断裂又は緊急スイッチオフによって信頼できる情報が存在しないために、計器又はかかる圧力センサによって信号が発せられない、又は誤った信号が発せられるならば、印刷物のウェブを除去する時に、移動台上に高い反力が依然として有り得るが、その結果、一方ではウェブ交換器の部品が、かつ他方では前記移動台が、破損され得るか、破壊さえされ得る。
【０００６】
【特許文献１】独国特許出願公開第４３３４５８２号明細書
【特許文献２】独国特許発明第１９７１４５５１号明細書
【発明の開示】
【発明が解決しようとする課題】
【０００７】
本発明の目的は、ウェブ支持装置、及び軸からウェブを除去する装置及び方法を提案することであり、それが、ウェブの安全かつ破壊のない挿入を可能にする。
【課題を解決するための手段】
【０００８】
この目的は、独立請求項の対象によって達成される。好適な実施態様は、従属請求項から生じる。
【０００９】
ウェブ、例えば印刷物のウェブ又はペーパーウェブを支持するための本発明による装置は、前記ウェブが挿入され得る保持装置を有する。本発明によれば、第１ばね要素が設けられ、第１ばね要素は、保持装置が、例えばウェブを挿入することによって装填される時に、荷重によって引き起こされる力にほぼ反して向けられる第１スプリング力が、第１ばね要素によって発生するように、保持装置と接続又は結合される。更に、本発明によれば、第２ばね要素が設けられ、第２ばね要素は、第２ばね要素が、第１ばね要素によって発生する力にほぼ反して作用する第２スプリング力を発生させるように、保持装置と結合又は接続される。好ましくは、第２スプリング力は、ほぼ荷重によって引き起こされる力の方向に作用する。結果として、ウェブを保持装置に挿入する時に反力を発生させるために設けられる第１ばね要素は、所定のばね行程を介して「軟質」にされ得る。すなわち、第１及び第２ばね要素によって形成される全システムは、第１及び第２ばね要素の協働によって形成されるばね伸長定数を有し、その結果として、所望のスプリング力が、ばね行程によって、又は保持装置の運動次第で変化し得る所定のばね行程内に設定され得る。好ましくは、第１及び／又は第２ばね要素は、それ自体が固定された、又は固定装置、例えば床に接続又は置かれる装置に取り付けられる。固定装置は、好適には挿入されるウェブにより移動すべきでない。
【００１０】
好適には、第１及び第２ばね要素は、第２ばね要素の最大ばね行程が、第１ばね要素の最大到達可能ばね行程よりも小さいように設計又は配置される。例えばばね要素は、前記第１ばね要素が保持装置上に挿入されるウェブによって引き起こされる圧力による力によって圧縮されるように配置され得、しかるに例えば第１ばね要素の力によって、保持装置上の荷重がなく、静止状態に引張られる第２ばね要素は、保持装置の装填により引き起こされる運動によって漸次解放される。
【００１１】
第２ばね要素は、所定のばね行程後に、又は保持装置低下後に、力が第２ばね要素によって保持装置にもはや作用しないように、第２ばね要素が完全に解放されるように、設計され得、その結果、保持装置は、所定のばね行程後に、第１ばね要素によって依然として伸ばされているのみである。第１及び第２ばね要素のかかる配置の場合に、保持装置の装填は、第２ばね要素がその後に完全に解放される例えば５ｍｍの所定のばね行程を介して、荷重に反対に作用する低いスプリング力によって荷重によって引き起こされる保持装置の低下を第１に引き起こし、その後に高いスプリング力が、所定のばね行程後に、保持装置の更なる低下又は跳ね返ることを困難にするために、第２ばね要素の完全な解放後に、保持装置に作用する。このようにして、ウェブ交換器の停止信号が、例えば所定の行程後に、保持装置の運動又は低下によって起動する、例えばスイッチ又はイニシエータを介して発生し得るが、それにより、スイッチ又はイニシエータを起動させるために必要とされる保持装置の運動又は低下が、低いスプリング力に対して比較的容易に行われ、しかるに高いスプリング力が、保持装置の更なる運動又は低下に反対に作用し、その結果ウェブ交換器の支持アームの「再旋回」が、支持アームにより保持されるウェブによって問題なく行われ得る。
【００１２】
静止状態で、部分的に引張られる第１ばね要素のスプリング力は、好ましくは部分的に引張られる第２ばね要素のスプリング力よりも高く、その結果例えば静止状態の第２ばね要素は、保持装置の荷重がないので第１ばね要素によって引張られ得、かつ所定のばね行程を介して第１ばね要素を「軟質」にする。第１ばね要素のばね定数は、第２ばね要素のそれより大きい、等しい又は小さくても良い。
【００１３】
静止状態は、例えば支持装置が抜き取られる状態であり得る。個々の又は全てのばね要素は、解放されるか、又は部分的若しくは完全に引張られ得る。
【００１４】
好ましくは、第１ばね要素は、ばね又はばね要素を圧縮する時に反力を発生させる圧縮ばね、一組の圧縮ばね、又は複数の圧縮ばねを含む配置でさえもある。好適には、第２ばね要素は、板ばね又は一組の板ばねとして実施され、それは好ましくは、板ばね又は一組の板ばねが完全に解放されるまで、例えば１〜１０ｍｍ、特に５ｍｍの比較的小さなばね行程を有する。一般的に、第１ばね要素及び／又は第２ばね要素は、個々のばね及び互いに平行に及び／又は互いに後方に配置されるばね要素からなっても良く、それにより、それらは、本発明の簡略化のために第１及び第２ばね要素という用語によってここで記載される。本発明による装置を、第１ばね要素が、保持装置が装填され、かつ第２ばね要素が引張られる時、解放されるように設計することも可能であり、その結果原則として同じ効果が達成され得る。
【００１５】
好適には、保持装置が所定の経路によって静止位置から運ばれる、又はウェブを挿入することにより下方に押圧される時、信号を発するスイッチ開閉装置が設けられる。かかるスイッチ開閉装置の信号は、例えばウェブ交換器の支持アームの運動を停止するために使用され得る。スイッチ開閉装置が、第２ばね要素が第１ばね要素に反して向けられる力をなおも発生させるばね行程内で起動するように配置されるならば、例えばウェブ交換器の運動を停止するための、スイッチ開閉装置の起動は、保持装置に作用する比較的低い力によってもたらされ得、しかるに所定のばね行程後に第２ばね要素によってもはや「軟質」にされない第１ばね要素は、保持装置中で強すぎるスプリンギング（springing）に反対に作用する。
【００１６】
もう一つの側面によれば、少なくとも１つのばね要素は、ばね行程にわたって変化するばね定数を備え得るが、それは第１及び／又は第２ばね要素の代わりに及び／又はそれらと組み合わせて使用され、その結果、第１の「軟質」であり、次に「硬質」であるばねの本発明による効果は、単一のみの又は複数のかかるばね要素によって達成され得る。
【００１７】
もう一つの側面によれば、本発明は、保持装置上に挿入されるウェブにより、又はウェブ無しで搬送装置を動かし得るために、上記のようなウェブ支持装置及び少なくとも１つの搬送要素、例えば車輪を有する搬送装置に関し、その結果ウェブは、ウェブ交換器に運ばれ得るか、そこから運び去られる。
【００１８】
好適には、搬送装置は、第１ばね要素が、保持装置及び搬送要素の間に、ばね作用又はスプリング力を生成するために配置されるように装備される。保持装置上に挿入されるウェブは、このようにして第１ばね要素によってクッションで和らげることができ、その結果ウェブを挿入する時に発生し得る衝撃、又はより高い力が、搬送要素に直接作用せず、クッションで和らげられる。好適には、スプリング力が、搬送要素及び保持装置に接続されるばね柱の間に発生するように、第２ばね要素は配置されて、第２ばね要素が、第１ばね要素を所定のばね行程を介して「軟質」にするために、第１ばね要素に反対に作用する。
【００１９】
もう一つの側面によれば、本発明は、その上でウェブが支持ピンを介して持ち上げられ得、かつ軸から除去することにより再度挿入され得る装置であって、上記のようなウェブ支持装置を有し、かつ特に搬送装置及び上記のような支持アームを有するウェブ交換器を有する、軸からウェブを除去する装置に関する。
【００２０】
更に、本発明は、軸からウェブを除去する方法に関し、その場合保持装置が、第１ばね要素の力に反してウェブを挿入することにより、動かされ、かつ第２ばね要素の力によって支持され、かつ支持装置は、所定のばね行程後に、第１ばね要素の力に反して動かされるのみである。
【００２１】
この方法において好適には、スイッチ信号が、好ましくは第２ばね要素が依然として保持装置に力を及ぼすばね行程の範囲で、保持装置の運動によって発生し、それによりスイッチ信号は、ウェブ交換器を制御するために使用され得る。
【発明を実施するための最良の形態】
【００２２】
本発明を、好ましい実施態様に基づき以下に記載する。
【００２３】
図１は、ペーパーウェブ６及び７が、支持ピン１ａ及び１ｂを介して取り付けられる支持アーム２を有するウェブ交換器１を示す。巻取り印刷機内のウェブ交換の場合、ペーパーウェブ６が、移動台３の保持装置５上にある時、支持アーム２は、旋回され、かつ停止されねばならない。ペーパーウェブ６は、ばね荷重式フレームに固着される保持装置５を押圧する。
【００２４】
図２は、図１に示す移動台３の詳細図を示し、かつペーパーウェブ６が、保持装置５上に置かれることを示す。保持装置５は、縦ビーム８、クロスビーム９、プレート１０、カバーシート１１、ばね柱１２、及びばね柱１２に接続される円板１３を含む、ばね荷重式フレームに固着される。簡略化のために、ばね柱１２の領域で発生する力を、以下に記載する。ペーパーウェブ６を保持装置５に挿入することにより、ペーパーウェブ６を投影面の外に搬送するために使用される保持装置５に接続される可動機構２１は、縦ビーム８、縦ビーム８に接続されるクロスビーム９、及びそれに接続されるプレート１０と共に下方に押圧され、かつそれ故に、プレート１０及び軸要素１５の間に圧縮ばね要素１４の圧縮をもたらす。上縁が、プレキャスト床Ｎのレベルの静止位置に位置するカバープレート１１は、プレート１０上に配置される。プレート１０は、軸要素１５を介して移動され得る、ばね柱１２に接続される。圧縮ばね１４に対向する軸要素１５の側面に、一組の板ばね１６が、ばね柱１２に接続される円板１３、及び圧縮ばね１４の力に反してばね柱１２を下方に押圧する軸要素１５の間に配置される。一組の板ばね１６が、完全に解放されない限り、圧縮ばね１４は、「軟質」にされ、その結果、一組の板ばね１６の反力のない圧縮ばね１４が保持装置５の更なる押圧に抗してより強く作用しかつ一組の板ばね１６が完全に解放される前に、保持装置５は、一組の板ばね１６の最大ばね行程により、ある距離だけ比較的容易に下方に押圧され得る。
【００２５】
圧縮ばね１４の、並びに一組の板ばね１６の幾何学的形状及び力は、好ましくは静止位置において、すなわち保持装置５上にある重量なしに、ばね柱１２のカラー２０が、軸要素１５上にあるように設計される。ばね柱１２のカラー２０及び軸１５の間の押圧力は、静止位置において比較的低い。
【００２６】
図１に示すウェブ交換器１の支持アーム２が、保持装置５上で、又は移動台３の他の位置でペーパーウェブ６により旋回するならば、それは急に跳ね返る。適切な設計のスイッチ４は、支持アーム２の回転運動を停止するために、１０分の数ミリメートル後に信号を送る。図４に示す線図に基づき以下に記載するように、圧縮ばね１４のスプリング力は、増加し続けるが、一組の板ばね１６のスプリング力は、減少するので、保持装置５及び前記ペーパーウェブ６の間の押圧力は、急速に増加する。数ミリメートル跳ね返った後に、一組の板ばね１６は、完全に解放され、かつそれ故に全システムにいかなる効果ももはや有さない。停止信号がスイッチ４によって発せられた後に、引っ張られたペーパーウェブによる支持アーム２の「再旋回」が、示した装置によりいかなる問題もなく行われ得るようにばね行程を設計することは、好都合である。
【００２７】
図３は、好ましい実施態様に基づき図２に示す一組の板ばね１６の断面図を概略的に示す。この場合、２つのほぼ円形状の板ばねは、それらの外半径が接触するように、互いに重ねられる。図３の一点鎖線は、一組の板ばねが、ばね柱１２の円板１３にもはや力を及ぼさない、保持装置５上にペーパーウェブ６を挿入した後に、実線で示される解放状態に変わる一組の板ばねの引張られた状態を示す。
【００２８】
図４は、線図であり、かつ軸要素１５及びばね柱１２のカラー２０の間の衝撃力Ｆ'を示す。実線の上昇線は、ばね行程ｓの関数として圧縮ばね１４によって発生する力を示す。下降線は、ばね行程ｓの関数として一組の板ばね１６によって及ぼされる力を示す。静止位置では比較的低い、軸要素１５及びばね柱１２のカラー２０の間の衝撃力Ｆ'は、ばね１４及び１６の特性線の間にある矢印によって指し示される。ここで、ばね柱１２のカラー２０は、軸要素１５上にある。図２に示すばね柱１２が、例えばペーパーウェブ６によって保持装置５の装填により下方に押圧されるならば、圧縮ばね１４によって発生する力は、増加し、それによりこの力は、一組の板ばね１６がばね行程ｓ０で完全に解放されるまで、一組の板ばね１６によって発生する力に反対に作用する。
【００２９】
図５は、本発明による移動台のもう一つの代替的実施態様を概略的に示す。図５に示す実施態様によれば、移動台は、左側で部分的にのみ、ばね荷重式であり、かつ右側では回転点又はピボット軸受に非ばね荷重式に置かれる。例えばペーパーウェブによって発生する力Ｆは、移動台上に作用し、かつ左側に配置される１つ以上のばねによって吸収され、それにより１つ以上のばねは、発生する力Ｆが、好ましくは比較的小さな最初のばね行程にわたって、好適には「軟質」ばね荷重式であり、しかるにこの比較的小さなばね行程後に、高いスプリング力が、移動台の上側の更なる低下に反対に作用するように、ばね行程にわたって変化するばね伸長定数を有する第１及び第２ばね要素として、又は単一の若しくは複数のばね要素としても、上記のように、同様に設計され得る。
【００３０】
図６は、概略図中に、本発明の他の代替的実施態様を示す。ウェブ交換器の第１の、例えば左側は、ＲＩで指し示し、かつウェブ交換器の第２の、例えば右側は、ＲＩＪで指し示す。移動台は、ＶＳＢで指し示す。フレームの回転点は、三角形で概略的に示し、かつ使用する１つ以上のばね、ばね要素又は一組のばねは、ジグザグの線で示す。
【００３１】
図６から判るように、移動台は、たとえば、１、２又はそれ以上の点で回転自在に取り付けられ、かつ１、２又はそれ以上の点でばね荷重式であり得る。図６の右下に示す実施態様は、図２を参照して特別に記載した実施態様に相当する。
【００３２】
回転点又はピボット軸受及びばね要素の他の配置は、これらを図６に明白に、概略的に示さなくても、当業者には周知であろう。
【図面の簡単な説明】
【００３３】
【図１】本発明による搬送装置を有するウェブ交換器を示す。
【図２】図１に示す搬送装置の拡大図を示す。
【図３】搬送装置に使用され得る一組の板ばねを概略的に示す。
【図４】軸及びばね柱のカラーの間の衝撃力を図解する線図を示す。
【図５】代替的実施態様における本発明による移動台の略図を示す。
【図６】本発明による移動台の他の代替的実施態様を示す。
【符号の説明】
【００３４】
４  スイッチ
５  保持装置
６  ウェブ
１２  ばね柱
１４  第１ばね要素
１６  第２ばね要素
【図１】
2004189483.tif 000003
【図２】
2004189483.tif 000004
【図３】
2004189483.tif 000005
【図４】
2004189483.tif 000006
【図５】
2004189483.tif 000007
【図６】
2004189483.tif 000008